(57)【特許請求の範囲】
【請求項１】
折曲罫線（２）を介して二つ折り可能に形成されたプラスチックシート（３、４）の重合面（３ａ、４ａ）内に収納凹部（５）を設け、一方のシートの縁部に罫線（９）を介して糊代片（１０）を連設し、他方のシートの面内に開封用の破断線（７）を折曲罫線（２）の近傍に並設し、シート（３、４）を二つ折りして両シートを重ねた状態で他方のシートの外面に糊代片（１０）を折り重ね、止着して収納凹部（５）内に物品を包装し、破断線（７）と折曲罫線（２）との間に形成される開封帯部（８）に沿ってシートを開封し得るにように構成された展示包装体（１）であって、
破断線（７）を折曲罫線（２）に対して平行な直線部分と傾斜した部分を有してシートの両縁に亘って形成し、折曲罫線（２）に沿った開封帯部（８）の幅がシートの一端の縁部では指先よりも広く、他端の縁部ではそれよりも狭くなるように設けたことを特徴とする展示包装体。
【請求項２】
開封帯部（８）の開封端部（８ａ）の縁部に、指先掛止用の切欠部（１２）を設けたことを特徴とする請求項１に記載の展示包装体。
【発明の詳細な説明】
【０００１】
【発明の属する技術分野】
本発明は、化粧品や文房具，日用品，電気部品その他店頭で展示販売に供される物品の包装に好適なプラスチックシート製の展示包装体に関する。
【０００２】
【従来の技術】
この種従来の展示包装体として、プラスチックシートを収納凹部及び折曲線を設けて成形し、収納凹部内に物品を収納し、折り重ねたシート面同士を貼り合わせて密封包装するものが知られている。
【０００３】
【発明が解決しようとする課題】
従来の展示包装体は密封性に優れているものの、シートが互いに貼り合わされて二重、或いは三重に厚くなっており、而もシートには或る程度の剛性が有るため、開封する際にシートを指で引き裂くには大きな力が必要であり、はさみやナイフを利用せざるを得なかった。また、シートを貼り合わせた部分では接着剤によって固着一体化するため、開封する際に割れ易く、きれいに素早く開封することができなかった。
【０００４】
本発明は、従来の技術の有するこのような問題点に鑑みてなされたものであり、その目的とするところは、物品を密封状態で包装することができると共に、容易且つきれいに素早く開封可能な展示包装体を提供することにある。
【０００５】
【課題を解決するための手段】
上記課題を解決するため、本発明は、折曲罫線を介して二つ折り可能に形成されたプラスチックシートの重合面内に収納凹部を設け、一方のシートの縁部に罫線を介して糊代片を連設し、他方のシートの面内に開封用の破断線を折曲罫線の近傍に並設し、シートを二つ折りして両シートを重ねた状態で他方のシートの外面に糊代片を折り重ね、止着して収納凹部内に物品を包装し、破断線と折曲罫線との間に形成される開封帯部に沿ってシートを開封し得るにように構成された展示包装体であって、破断線を折曲罫線に対して平行な直線部分と傾斜した部分を有してシートの両縁に亘って形成し、折曲罫線に沿った開封帯部の幅がシートの一端の縁部では指先よりも広く、他端の縁部ではそれよりも狭くなるように設けたことを特徴とする。
【０００６】
上記開封用破断線の少なくとも一部を、例えば中間で傾斜線部を設ける等して折曲罫線に対して非平行となすことにより、開封用破断線及び折曲罫線間の開封帯部の幅を異ならせれば、物品を収納するためシートを二つ折りした際に、開封用破断線が折れ曲がる虞れがなく好ましい。
この場合、開封帯部の両端部の内、一方の幅を他方の幅よりも広く設けることにより、当該幅広の端部側から容易に開封することができる。
開封帯部の開封端部の縁部に指先掛止用の切欠部を設ければ、開封帯部をより容易に摘むことができ、開封作業をより迅速に行なうことができる。
【０００７】
【発明の実施の形態】
本発明の好適な実施例を図面に基づいて詳細に説明する。
図１は本発明の第１実施例の展示包装体の展開図及び包装時の断面図、図２は第２実施例の展開図及び包装時の断面図、図３は第３実施例の展開図及び断面図、図４は第４実施例の展開図及び底面図、図５は開封用破断線の他の形態を示す図である。なお、各展開図は、物品を収納したときに包装体の外側となる面を表している。
【０００８】
図１に示す第１実施例の展示包装体１は、透明或いは着色された半透明な略矩形のプラスチックシートを真空・圧空成形、プレス成形等の加熱成形により、折曲罫線２を介して包装時に表側の面となる表板３と裏側の面となる裏板４とに区画し、両板の重合シート面３ａ，４ａにそれぞれ包装すべき物品の輪郭形状或いは包被形状に縁取られた適宜深さの収納凹部５，５と吊り下げ孔６，６とを位置対応させて設けると共に、裏板４にミシン目よりなる開封用の破断線７を折曲罫線２に並設して当該破断線７と折曲罫線２との間を開封帯部８となし、さらに、表板３の縁辺に折曲罫線９，９，９を介して糊代片１０，１０，１０を連設し、両板３，４がフラット状に開き、且つ折曲罫線２を軸に二つ折りして、重合し糊代片１０を裏側に折曲して閉じることが可能なように一体に成形してある。
【０００９】
プラスチックシートは、ポリ塩化ビニル、ポリプロピレン、ポリスチレン、非晶質ポリエチレンテレフタレート等の熱可塑性プラスチック等からなる適度な強度を有するシートが好適であり、これら単体シート或いは上記シートとプラスチックフィルムとのラミネートシート等を用いることができる。また、シート表面には、包装する物品の広告や説明，装飾模様等を適宜な方法で印刷表示することができ、特に展示効果を増すため表板３の外側シート面３ｂに施すことが好ましい。
【００１０】
折曲罫線２，９は、共にＶ字状の切り込み筋をシート表面に一体成形したりシート表面を罫線刃で押圧したりする等して当該部分のシート肉厚を小さくすることにより、容易に折り曲げ可能で、而も折り曲げたときに厚みが生ずることなくすっきりと仕上がり、弾性による戻りも小さい構造としてある。
【００１１】
破断線７は、接着剤が塗布されない裏板４の折曲罫線２の近傍の位置に設けてあり、シートの切断を容易に行えるように、ミシン目を構成する小孔の径乃至長さ及び形成間隔を、シートの厚み及び剛性等を勘案して適宜に設けてある。
この破断線７は、折曲罫線２とは反対側の裏板４の側端部や折曲罫線２から離れた収納凹部５の上方のシート面部に設けることもできるが、側端部に設けたのでは糊代片１０が重なって開封し難くなり、収納凹部５の上方に設けたのでは収納凹部５の剛性が低下して変形し易くなるため適さず、一方、裏板４の折曲罫線２の近傍の位置に設ければ、当該部分が接着剤等によって厚肉に固着する虞れはなく、裏板４一枚のみを小さな力で分断することができ好ましい。
【００１２】
糊代片１０は、折曲罫線９により重合シート面３ａ側に折れ曲がり、シート全体を折り曲げて両板３，４を重ね合わせた状態で、裏板４の外側シート面４ｂ上に折り重ねられるように適宜な幅で設けてある。
【００１３】
本実施例は以上のように構成されているので、裏板４の収納凹部５に物品１１を収納し、表板３を折曲罫線２を軸に折り曲げて裏板４に被せれば、重合シート面３ａ，４ａが互いに密接に重合して収納凹部５が閉塞され、さらに糊代片１０を折り曲げて裏板４の外側シート面４ｂ上に折り重ね、且つ接着剤や加熱接着或いは超音波シール、高周波シール等によって当該面に止着することにより、シート重合状態を維持して物品１１を包装する。
【００１４】
かかる状態において、収納凹部５は確実に閉塞し、搬送中にシートが開いて収納物品１１が外部に飛びだしたり、店頭において吊り下げて展示している際に重合シートの隙間からが抜け落ちたりせず、高い密封性を維持して物品１１を包装することができる。
【００１５】
また、糊代片１０が、包装体１の裏側となる外側シート面４ｂに止着しているので、表側の外側シート面３ｂ全体が印刷表示面として利用可能となり、当該面に包装する物品の広告等を表示して購買者の便宜を高め得ると同時に、シート表面に突き出た収納凹部５と相まって当該面全体に立体的な装飾模様等を施すことにより、店頭に展示した際の視覚に対する訴求力を高め、他の商品との差別化を図ることができる。
【００１６】
さらに、包装体１の折曲罫線２側の端部を掴んで折り曲げれば、僅かな力で裏板４が破断線７を境に開封帯部８と他の部分とに分断し、この分断部分から包装体１を開封して物品１１を取り出すことができる。従って、シートを裁断するための、はさみやナイフは一切不要であり、開封線７に沿ってきれいに且つ素早く開封することができる。
【００１７】
図２に示す第２実施例の展示包装体１は、破断線７を、裏板４の上端縁部から垂下する直線部７ａと中間で折曲罫線２側に傾斜する傾斜線部７ｂと裏板４の下端縁部まで垂下する直線部７ｃとの三つの部分により折れ曲がり状に形成し、開封帯部８を、その幅が折曲罫線２に沿って連続的に変化するように、且つ上端部が幅広、下端部が狭小となるように設けると共に、開封帯部８の上端部に、指で摘み或いは爪で引掛易いように、円弧状に湾曲させた外形の突部８ａを形成し、この突部８ａの少なくとも一側縁部から裏板４の上端部に、楔形に切り欠いた切欠部１２を設けて形成したものである。
【００１８】
本例の破断線７も、実施例１と同様、折曲罫線２の近傍に並設するが、開封する際に開封帯部８の突部８ａを指先で把持し得るように、少なくとも折曲罫線２と破断線７間が指先よりも広くなるように設けることが好ましい。
【００１９】
本例によれば、包装された物品１１を取り出す際に、開封帯部８の突部８ａを摘んで包装体１を折り曲げ、或いは突部８ａを引っ張る等することにより、裏板４が破断線７に沿ってきれいに分断し、包装体１を開封することができる。
【００２０】
この場合、開封帯部８の上端部に突部８ａが形成されており、而もこの縁部に切欠部１２を設けてあるので、爪が長い女性や指先の太い男性でも切欠部１２に指先を掛止させて、開封帯部８を容易に摘むことができる。
また、開封帯部８の上端部を下端部よりも幅広に設けてあるので、突部８ａを折曲罫線２側に折り曲げれば、開封帯部８の上端部側からシートが分断し、続けて突部８ａを同方向に引っ張ることにより、開封帯部８は下端部側に向かって連続的に分断し、僅かな力で開封可能である。
【００２１】
また、本例の破断線７は傾斜線部７ｂを有して形成されているので、破断線７に沿ってシートが折れ曲がる虞れがなく、物品１１を収納するためシートを二つ折りした際に、破断線７に沿ってシートが折れ曲がり、包装作業に支障を来すようなことはない。
【００２２】
図３に示す第３実施例の展示包装体１は、表裏両板３，４の重合シート面３ａ，４ａにそれぞれ設けた収納凹部５，５によって肉厚の物品を収納可能とすると共に、裏板４に、上端縁部から折曲罫線２側に右下がりに湾曲しつつ傾斜する傾斜線部７ｄと裏板４の下端縁部まで垂下する直線部７ｅとによって折れ曲がり状となした破断線７を設けたものである。
本例によっても、開封帯部８を摘んで引っ張る等することにより、裏板４側から包装体１が開封し、収納物品を取り出すことができる。
【００２３】
図４に示す第４実施例の展示包装体１は、裏板４の重合シート面４ａの下部に、裏板４の下縁部から当該シート面に対して垂直に膨出する収納凹部１３を設け、表板３の重合シート面３ａに収納凹部１３の開口縁に嵌合可能な立ち上がり部１４ａを有する収納凹部１４を設け、表裏両板３，４を重ね合わせたときに、立ち上がり部１４ａを収納凹部１３に圧接嵌合して収納物品を密封し、同時に収納凹部１３の下側を載置面として展示包装体１が自立し得るようにし、また、破断線７を表板３に設けて、表板３側から開封可能なように形成したものである。
なお、符号１５ａ，１５ｂは嵌合凹凸部、１６は補強用リブである。
【００２４】
本例によれば、物品を高い密封性を維持して包装できることは勿論、展示包装体１を掛止フック等に吊り下げたり、展示ケース上や棚上に立てたりして、展示場所に応じた効果的な展示を行なうことができる。
また、本例の包装体１では表板３側から開封するが、この際、表板３は破断線７に沿って、きれいに分断することができる。従って、表板３が破断線７の途中から割れて、表板３のシート表面に表示した広告や説明等が見難くなったり見えなくなったりする虞れはない。
【００２５】
なお、上記各実施例において、破断線７はミシン目を連続した一列線状に設ける他、図５に示す如く、互いに交差した断続の切れ目としてもよく、その他適宜形状の開封ジッパーを採用することができる。
【００２６】
【発明の効果】
本発明の展示包装体によれば、開封用破断線を折曲罫線の近傍に並設してあるので、高い密封性を維持して物品を包装できると共に、折曲罫線側の端部を折り曲げる等することにより、僅かな力で破断線に沿ってシートを容易に分断し、開封することができる。従って、はさみやナイフ等を利用することなく、力の弱い女性でも容易に素早く開封でき、また、破断線に沿ってシートが分断されるから、開封途中でシートが割れてシート表面に表示した説明等を見難くしたり、シートの破片で指先を傷つけたりする虞れがなく安全である。
【００２７】
また、破断線に傾斜線部を含ませる等して折曲罫線に対して非平行に設けることにより、物品を収納するためシートを二つ折りした際に、破断線が折れ曲がる虞れがなく、包装作業に支障を来すことはない。
【００２８】
さらに、折曲罫線と破断線間に形成される開封帯部の両端部の内、一方の幅を他方の幅よりも広く設けることにより、幅広の端部側から容易に開封することができ、また、開封帯部の開封端部の縁部に、指先掛止用の切欠部を設けることにより、開封帯部をより容易に摘むことができ、開封作業をより迅速に行なうことができる。
【図面の簡単な説明】
【図１】本発明の第１実施例の展示包装体を示しており、（Ａ）は展開図、（Ｂ）は断面図である。
【図２】本発明の第２実施例の展示包装体を示しており、（Ａ）は展開図、（Ｂ）は包装時の断面図である。
【図３】本発明の第３実施例の展示包装体を示しており、（Ａ）は展開図、（Ｂ）は断面図である。
【図４】本発明の第４実施例の展示包装体を示しており、（Ａ）は展開図、（Ｂ）は底面図である。
【図５】本発明の展示包装体にかかる破断線の他の形態を示す図である。
【符号の説明】
1         展示包装体
2,9       折曲罫線
3         表板
4         裏板
5,13,14   収納凹部
7         破断線
8         開封帯部
10         糊代片
11         物品
12         切欠部
【図１】
0003657046.tif 000002
【図２】
0003657046.tif 000003
【図３】
0003657046.tif 000004
【図４】
0003657046.tif 000005
【図５】
0003657046.tif 000006